(57)【要約】      （修正有）【課題】介助者の日常作業の大幅な軽減を果たす事ができ、身体機能障者にとって、最適なユニバーサルエプロンを提供する。【解決手段】必要に応じて取外し分離が容易にできる上部保護エプロンと下部保護エプロンで構成する。上部保護エプロンは肌触りの良い素材を採用し、胸元で着脱が行え専用ボタンホールでホームウエアにも常備できる。さらに、下部保護エプロンは簡便に上部保護エプロンと着脱分離できて、付帯する長さ調整バントにより、常に良好な着心地が得られる。さらにまた、下部保護エプロン下方両側にある止め具を利用して、テーブル裏面に設置した受け具に掛ける事で『受け皿状』にエプロンを保持でき、下部保護エプロンを上部保護エプロンから取外して包み持って処理できる。収納専用ポケットを取付ければ、エプロンを小さく格納でき、また、止め具を利用すれば、簡易的な運搬籠としても利用できる。【選択図】なし【実用新案登録請求の範囲】
【請求項１】
首周りから胸上部にかけて保護する『上部保護エプロン』と胸中部から腹部や太ももにかけて保護する『下部保護エプロン』の各々異なる機能を組合せたエプロンにおいて、上下は簡単に取り外し可能で必要に応じて素早く脱着でき、付帯できる収納専用ポケットに小さく格納し、ポーチのように成ることを特徴とするエプロン。
【請求項２】
上部保護エプロンは、着脱し易いように胸元で行い、背中側に回転させセットしたり、また専用のボタンホールへ衣服に付けてあるボタンを掛けられるので、介助者の利便性や左右片麻痺などの機能障害の方々にも対応することができて、下部保護エプロンと必要に応じて素早く適切に脱着でき、さらに首をサポートする為に、首の両側面〜後頭部位の下当りにかけて適度な弾力と厚みのある支保機能枕を取付け追加もでき、頚椎や首筋の負担も軽減する事を特徴とする、請求項１記載のエプロン。
【請求項３】
下部保護エプロンの下方両側に数ヶ所の止め具と何時でも裏面内側に倒れ収容する形態を保持する『脇あてパーツ』が付帯しており、それを挟み掴む機能を両側に有してる、長さ調整バンドにより、体型や各種作業動作や座りながらの使用でも、エプロンをいつも良好に保持でき、単独使用も可能であり、また、止め具を手で持つか又は、専用取っ手を付けて、物品運搬に便利な機能性を特徴とする、請求項１または請求項２記載のエプロン。
【請求項４】
下部保護エプロンの下方両側に付帯した止め具をテーブル裏に取付けた受け具に、食事や作業姿勢で変化するテーブル端から体までの最適距離に取付ける事で、下部保護エプロンが『受け皿状』に保持され、汁こぼしなどによる衣服や床の汚れを防ぎ、上部保護エプロンから下部保護エプロンを取外せば包み持って移動処理ができ、介助の軽減が大幅に図れ、利用者も心置きなく安心して食事などが楽しめ機能訓練と成り、福祉医療や在宅介護に役立つ機能性を特徴とする、請求項１と請求項２または請求項３記載のエプロン。
【考案の詳細な説明】
【考案の詳細な説明】
【技術分野】
【０００１】  本考案は、病院や福祉関連施設や在宅介護宅などや一般の方々に使用されるエプロンに関するものであり、特に高齢介護社会に対応する為に高齢者や身体機能障害者（児）や虚弱体質者並びに介助者が利用し易すく介助軽減できる様に、介護現場の作業動作を検証して改良したものである。
【背景技術】
【０００２】  一般的にエプロンは、単に首や腰から下げるだけの１枚ものが多く、立ち姿勢での使用を前提とした物がほとんどで、椅子などに着席しながら利用することを、考慮した形状や機能性が無いに等しいのが現状であり、食事やレクリエーション時はどうしても服装や周辺が汚れたり・濡れたりするので着用者も安心して食事や余暇活動ができなかった、また、介助側も気掛かりで不必要にサポートしがちである。
【考案の開示】
【考案が解決しようとする課題】
【０００３】  このように既存のエプロンは、高齢者や身体機能障害者（児）、虚弱体質者や車いす生活者および、介助者などへの利便性や機能性などについて何も考慮されておらず、日常生活での機能訓練においても利用者にとっては不適格であり、介助作業の軽減を果たせないものが多く、誰でもが安心かつ便利に利用し、介助軽減できるエプロンが望まれていた。
本考案は、このような課題を解決したものであり、その目的は介助者の諸々の作業軽減を果たすと共に、着用者の自立（律）を促し、精神的な不安を改善することで、生活の質の向上（ＱＯＬ）を図り、安心かつ、快適に使用できる日常生活心需品と成り得るように改良した、ユニバーサルなエプロンを提供することにある。
【課題を解決するための手段】
【０００４】  本考案は、高齢者や身体機能障害者などや一般の方々が、安心して利用してもらう為に『着用動作』と『使い心地や利便性』と『取外し処理動作』などの必要な課題を、医療・福祉の専門家や介助者が検証分析と利用者アンケート調査を実施して、日常生活での介助作業軽減や使い勝手で困っている方々が、生活必需品として利用し得るに必要な寸法域や仕上げ形状を割出したものである。【０００５】  上記において、エプロンは終日を通し必要との結論から各々異なる機能を有した『上部保護エプロン』と『下部保護エプロン』は、簡便に取外し可能な方法（マグネットやマジックテープなど）で結合でき、必要に応じて上下のエプロンを着用者の協力も得ずに、素早く簡便に取外すことで、衣服や床の汚れ防止や火傷の危険性を回避でき、また包み持って移動処理ができるものである。【０００６】  保護エプロンの素材や機能は各々異なり、『上部保護エプロン』は首回りに位置するので肌触りの良い素材を使用し、胸元で着脱ができ、また専用ボタンホールへ、衣服に取付けてあるボタンを掛けられるので身体機能に関係無く利用でき、別途付帯できる首をサポートする様な首の両側面〜後頭部位の下当りにかけて、頚椎や首筋の負担を軽減する為の適度な弾力と厚みのある支保機能枕を取付け追加することもできるものである。【０００７】  『下部保護エプロン』は単独使用も可能で、食事の時など汁こぼしを想定して撥水・防水性能と汗による絡み付きの無いサラサラ感を有した素材であり、下方両側に完備した止め具（穴や紐など）は、手で持ったり、あるいは専用取っ手を付ける事で袋状に成るので、片手でも容易に物品の運搬作業が可能と成り、体への負担軽減のため密着した状態を維持できる形状・機能を備えたもので、さらに別途付帯できる収納専用ポケットにエプロンを格納できるものである。【０００８】  また『下部保護エプロン』の特徴として、何時でも裏面内側に倒れ収容する形態を保持する卵を縦に半割した形状の『脇あてパーツ』が付帯し、それを挟み掴む機能を両側に有した、長さ調整可能なバンドにより、体型や各種の作業動作姿勢や座りながらの使用にも、良好な着心地が得られ、下方両側にある止め具として、３〜４ヶ所のハト目（１０〜２０ミリ穴）又は、引っ掛け紐をテーブル裏に取付けた受け具としてフックなどに、食事や作業姿勢で変化するテーブル端から体までの最適な距離にある位置のハト目や引っ掛け紐を掛ける事で、下部保護エプロンが『受け皿状』に保持されて、汁こぼしなど日常活動において衣服や床の汚れを防ぎ、さらに着用者の協力を得ず簡便に上部保護エプロンから下部保護エプロンを取外し、包み持って移動処理できるので、介護軽減が大幅に可能になるものである。
【考案の効果】
【０００９】  本考案のユニバーサルなエプロンは『脇あてパーツ』と長さの調整ができるバンドにより、体型や作業動作姿勢や座りながらの使用にも良好な着心地が得られ、また、上部と下部の２種類の専用機能を組合せたエプロンは必要に応じて取外し分離が容易で、さらに、下部保護エプロンの下方両側にある止め具をテーブル裏面に取付けた受け具に掛けることで生れる『受け皿状』の状態は、汁等をこぼしても、衣服や床を汚さずに、着用者の協力を得ずに、下部保護エプロンを容易に取外し包み持って移動処理し易く、介助作業軽減が大幅に図れるので、気兼ね無く利用者も安心して食事等を楽しみながら機能訓練ができるので自立（律）が促され、生活の質の向上（ＱＯＬ）が図れ、福祉・医療現場や在宅介護宅やその他の一般の方々の使用及び、様々な場所での利用が可能となり、実用価値は高く高齢少子の介護社会に最適なものです。
【考案を実施するための最良の形態】
【００１０】  本考案のユニバーサルなエプロンを障害者施設や授産所で製造するために、デザイン的にシンプルで縫製し易く、見栄えを良くする為にパーツはできるだけ単純にして、また縫製粗を目立たせない構造配慮が、丈夫さをも生むように前述までの効果を損なわずに実現した。
【実施例１】
【００１１】  本考案の実施の形態を示す、図１は上部保護エプロンの形状図、図２は下部保護エプロンの形状図と『脇あてパーツ』の形状図です、図３は『長さ調整バンド』の形状図、図４は組合せたエプロンの正面姿図、図５は組合せたエプロンの側面姿図、図６は組合せたエプロンの裏面姿図で、図７は起立時の着用正面姿図、図８は起立時の着用側面姿図、図９は起立時の着用裏面姿図、図１０は起立時の下部保護エプロン単独の着用正面姿図、図１１は起立時の下部保護エプロン単独の着用側面姿図、図１２は起立時の下部保護エプロン単独の着用裏面姿図、図１３は着席時のハト目を使った『受け皿状』の着用姿図で、図１４はテーブル裏にあるフックにハト目を掛けた時の現状図、図１５は着席時の引っ掛け紐を使った『受け皿状』の着用姿図、図１６はテーブル裏にあるフックに引っ掛け紐を掛けた時の現状図、図１７はハト目に専用取っ手を付けた使用時の正面姿図、図１８はハト目に専用取っ手を付けた使用時の側面姿図、図１９は引っ掛け紐を持った使用時の正面姿図、図２０は引っ掛け紐を持った使用時の側面姿図です。【００１２】  カラーリングは、高齢者などへの配慮から心理量感的に心身に良好な数値を示す、明るい色調のイエローベージュ系を基調に温かみを感じるものとし、上部は肌触りを優先させ、下部はサラサラ感と撥水性防水性を優先させた素材で構成している。
【産業上の利用可能性】
【００１３】  日本は、高齢少子の介護社会が加速的に進行中で、医療・福祉施設や在宅介護宅の現場では、介護人数が大幅に減少しながら、高齢化が急速に進んでおり、これらの現象を踏まえ、前述した本考案は利用者の異なる身体機能の状況にも対応でき、残存機能訓練を不安無く闊達し、生活の質の向上（ＱＯＬ）が図れることは、要介護先送りの方策となり、セルフメディケーションの観点からも、ご自身や家族の健康の為、社会にとっても医療費や介護保険費の抑制の為にも大切なことです。
特に、介助者の諸々の作業の軽減に大いに役立ち、現在より少人数制で高齢者や障害者を介助サポートする上で必需品となります。
世代や障害を越えて、様々な場面で利用可能な本考案のユニバーサル、なエプロンは、これからの社会に益々必要なものと言えます。
【図面の簡単な説明】
【００１４】
【図１】  上部保護エプロンの形状図
【図２】  下部保護エプロンの形状図と『脇あてパーツ』の形状図
【図３】  『長さ調整バンド』の形状図
【図４】  組合せたエプロンの正面姿図
【図５】  組合せたエプロンの側面姿図
【図６】  組合せたエプロンの裏面姿図
【図７】  起立時の着用正面姿図
【図８】  起立時の着用側面姿図
【図９】  起立時の着用裏面姿図
【図１０】  起立時の下部保護エプロン単独の着用正面姿図
【図１１】  起立時の下部保護エプロン単独の着用側面姿図
【図１２】  起立時の下部保護エプロン単独の着用裏面姿図
【図１３】  着席時にハト目を使った『受け皿状』の着用姿図
【図１４】  テーブル裏にあるフックにハト目を掛けた時の現状図
【図１５】  着席時に引っ掛け紐を使った『受け皿状』の着用姿図
【図１６】  テーブル裏にあるフックに引っ掛け紐を掛けた時の現状図
【図１７】  ハト目に専用取っ手を付けた使用時の正面姿図
【図１８】  ハト目に専用取っ手を付けた使用時の側面姿図
【図１９】  引っ掛け紐を持った使用時の正面姿図
【図２０】  引っ掛け紐を持った使用時の側面姿図
【符号の説明】
【００１５】            １    上部保護エプロン
２    専用ボタンホール
３    下部保護エプロン
４    脇あてパーツ
５    止め具
６    長さ調整バンド
７    止め具（ハト目）
８    テーブル裏の受け具（フック）
９    専用取っ手
１０    止め具（引っ掛け紐）
１１    テーブル
１２    イス
【図１】
0003106746.tif 000002
【図２】
0003106746.tif 000003
【図３】
0003106746.tif 000004
【図４】
0003106746.tif 000005
【図５】
0003106746.tif 000006
【図６】
0003106746.tif 000007
【図７】
0003106746.tif 000008
【図８】
0003106746.tif 000009
【図９】
0003106746.tif 000010
【図１０】
0003106746.tif 000011
【図１１】
0003106746.tif 000012
【図１２】
0003106746.tif 000013
【図１３】
0003106746.tif 000014
【図１４】
0003106746.tif 000015
【図１５】
0003106746.tif 000016
【図１６】
0003106746.tif 000017
【図１７】
0003106746.tif 000018
【図１８】
0003106746.tif 000019
【図１９】
0003106746.tif 000020
【図２０】
0003106746.tif 000021